(57)【要約】【課題】表示画像が粗く見えることを抑制できる視差バリア及び視差バリアの製造方法を提供すること。【解決手段】右目用画像を形成する右目用画素（右目用サブ画素Ｒ）及び左目用画像を形成する左目用画素（左目用サブ画素Ｌ）が少なくとも行方向に交互に配列された画像表示装置１Ａに用いられ、右目用画像及び左目用画像を分離する視差バリア５Ａであって、視点ＶＰにおける右目ＲＥから右目用画素を直視可能で、左目ＬＥから左目用画素を直視可能な位置に配置され、これら各画素により形成された右目用画像及び左目用画像を透過して、それぞれ右目ＲＥ及び左目ＬＥに入射させる複数の第１透過部５３と、複数の第１透過部５３間に配置され、入射される右目用画像を屈折させて右目ＲＥに入射させ、入射される左目用画像を屈折させて左目ＬＥに入射させる第２透過部５４Ａと、第１透過部５３及び第２透過部５４Ａの周囲に形成される遮光部５２と、を有する。【選択図】図１
2012252051.tif 000002
【特許請求の範囲】
【請求項１】
右目用画像を形成する右目用画素、及び、左目用画像を形成する左目用画素が少なくとも行方向に交互に配列された画像形成領域を有する画像表示装置に用いられ、前記右目用画像及び前記左目用画像を分離する視差バリアであって、
前記画像表示装置に設定された視点における右目から前記右目用画素を直視可能で、前記視点における左目から前記左目用画素を直視可能な位置に配置され、当該右目用画素及び当該左目用画素により形成された前記右目用画像及び前記左目用画像を透過して、それぞれ前記右目及び前記左目に入射させる複数の第１透過部と、
前記複数の第１透過部の間に配置され、入射される前記右目用画像を屈折させて前記右目に入射させ、入射される前記左目用画像を屈折させて前記左目に入射させる第２透過部と、
前記第１透過部及び前記第２透過部の周囲に形成され、入射される光を遮蔽する遮光部と、を有する
ことを特徴とする視差バリア。
【請求項２】
請求項１に記載の視差バリアにおいて、
前記第２透過部は、当該第２透過部を前記行方向で挟む一対の前記第１透過部のうち、一方の第１透過部を透過して前記左目に入射される前記左目用画像を屈折させて当該左目に入射させ、他方の第１透過部を透過して前記右目に入射される前記右目用画像を屈折させて当該右目に入射させる
ことを特徴とする視差バリア。
【請求項３】
請求項２に記載の視差バリアにおいて、
前記遮光部、前記第１透過部及び前記第２透過部が形成される基板を有し、
前記第２透過部は、前記画像形成領域の法線及び前記行方向のそれぞれに沿う断面の形状が略Ｖ字状に形成され、前記法線及び前記行方向に対して交差する一対の傾斜面を有する
ことを特徴とする視差バリア。
【請求項４】
請求項２に記載の視差バリアにおいて、
前記遮光部、前記第１透過部及び前記第２透過部が形成される基板を有し、
前記第２透過部は、前記画像形成領域の法線及び前記行方向のそれぞれに沿う断面の形状が曲面状に形成されている
ことを特徴とする視差バリア。
【請求項５】
右目用画像を形成する右目用画素、及び、左目用画像を形成する左目用画素が少なくとも行方向に交互に配列された画像表示装置に用いられ、前記右目用画像及び前記左目用画像を分離する視差バリアの製造方法であって、
基板に型を押圧して、当該基板に、前記画像表示装置に設定された視点における右目から前記右目用画素を直視可能で、前記視点における左目から前記左目用画素を直視可能な位置にそれぞれ凹状の第１透過部を複数形成し、それぞれの前記第１透過部の間に凹状で、かつ、Ｖ字状及び曲面状のいずれかの形状を有する第２透過部を形成する透過部形成ステップと、
前記第１透過部及び前記第２透過部の周囲に遮光塗料を塗布して、入射される光を遮蔽する遮光部を形成する遮光部形成ステップと、を有する
ことを特徴とする視差バリアの製造方法。
【請求項６】
請求項５に記載の視差バリアの製造方法において、
前記遮光部形成ステップでは、前記基板の表面に沿って前記遮光塗料が付着したローラーを移動させて、当該表面における突出部分に前記遮光塗料を塗布する
ことを特徴とする視差バリアの製造方法。
【請求項７】
請求項６に記載の視差バリアの製造方法において、
前記遮光部形成ステップでは、前記第１透過部及び前記第２透過部が形成された前記基板の表面を下方に向けた状態で、当該表面に前記遮光塗料を付着させることで、前記遮光部を形成する
ことを特徴とする視差バリアの製造方法。
【発明の詳細な説明】
【技術分野】
【０００１】
本発明は、視差バリア及び当該視差バリアの製造方法に関する。
【背景技術】
【０００２】
従来、右目用画像及び左目用画像を形成し、視差により立体視可能な画像を表示する画像表示装置が知られている（例えば、特許文献１参照）。
この特許文献１に記載の画像表示装置は、バックライトと、右目用画像を形成する右目用画素と、左目用画像を形成する左目用画素とが少なくとも行方向に交互に配列された表示手段と、当該表示手段により表示された右目用画像及び左目用画像を、それぞれ観察者の右目及び左目に入射させる視差バリアとを備える。
【０００３】
このうち、視差バリアは、遮光部と、画像表示装置に設定された視点上の右目にて右目用画素を直視可能で、かつ、左目にて左目用画素を直視可能な位置に形成される透過部（開口部）とが形成された透光性基板を有する。このような構成により、右目用画素で形成された右目用画像は観察者の右目にて観察され、左目用画素で形成された左目用画像は観察者の左目にて観察される。これら右目用画像及び左目用画像は視差画像であるので、これら右目用画像及び左目用画像を右目及び左目にて観察することで、観察者は当該各画像を立体画像として視認する。
【先行技術文献】
【特許文献】
【０００４】
【特許文献１】特開２０１１−５９２９７号公報
【発明の概要】
【発明が解決しようとする課題】
【０００５】
しかしながら、前述の特許文献１に記載の画像表示装置では、視差バリアにおける遮光部の割合が大きいため、当該遮光部の存在が観察者により認識されてしまう。このため、表示される画素が粗く見えてしまうという問題がある。これに対し、透過部の開口面積を大きくして遮光部の割合を小さくすると、右目用画像が左目に、左目用画像が右目により認識される、いわゆるクロストークが生じてしまう。
【０００６】
本発明の目的は、表示画像が粗く見えることを抑制できる視差バリア、及び、当該視差バリアの製造方法を提供することである。
【課題を解決するための手段】
【０００７】
前記した目的を達成するために、本発明の視差バリアは、右目用画像を形成する右目用画素、及び、左目用画像を形成する左目用画素が少なくとも行方向に交互に配列された画像形成領域を有する画像表示装置に用いられ、前記右目用画像及び前記左目用画像を分離する視差バリアであって、前記画像表示装置に設定された視点における右目から前記右目用画素を直視可能で、前記視点における左目から前記左目用画素を直視可能な位置に配置され、当該右目用画素及び当該左目用画素により形成された前記右目用画像及び前記左目用画像を透過して、それぞれ前記右目及び前記左目に入射させる複数の第１透過部と、前記複数の第１透過部の間に配置され、入射される前記右目用画像を屈折させて前記右目に入射させ、入射される前記左目用画像を屈折させて前記左目に入射させる第２透過部と、前記第１透過部及び前記第２透過部の周囲に形成され、入射される光を遮蔽する遮光部と、を有することを特徴とする。
【０００８】
本発明によれば、第１透過部により、画像表示装置に設定された視点上の右目に、右目用画素により形成された右目用画像（詳しくは右目用画像を形成する一部の光）が入射されるとともに、当該視点上の左目に、左目用画素により形成された左目用画像（詳しくは左目用画像を形成する一部の光）が入射される。また、第２透過部により、右目用画素により形成された右目用画像を形成する光が屈折されて右目に入射され、左目用画素により形成された左目用画像を形成する光が屈折されて左目に入射される。
これによれば、第２透過部が設けられていない視差バリアに比べて、遮光部により遮光される視差バリアの表面において右目用画像を認識可能な領域の数、及び、左目用画像を認識可能な領域の数を増加させることができ、遮光部による遮光領域の面積を縮小できる。従って、当該遮光部を目立たなくして、画素粒度が粗く見えることを抑制でき、ひいては、表示画像が粗く見えることを抑制できる。更に、遮光領域の面積を縮小できることにより、視差バリアによる遮光量が低減されるので、当該視差バリアによる表示画像の輝度低下を抑制できる。
【０００９】
本発明では、前記第２透過部は、当該第２透過部を前記行方向で挟む一対の前記第１透過部のうち、一方の第１透過部を透過して前記左目に入射される前記左目用画像を屈折させて当該左目に入射させ、他方の第１透過部を透過して前記右目に入射される前記右目用画像を屈折させて当該右目に入射させることが好ましい。
【００１０】
本発明によれば、第２透過部により屈折されて視点上の右目に入射される右目用画像は、当該第２透過部を挟む一対の第１透過部のうちの一方を透過する右目用画像と同じであり、また、当該第２透過部により屈折されて視点上の左目に入射される左目用画像は、他方を透過する左目用画像と同じである。このため、当該一方の第１透過部と第２透過部とにより、同じ右目用画素から出射された右目用画像が視点上の右目に入射され、当該他方の第１透過部と第２透過部とにより、同じ左目用画素から出射された左目用画像が視点上の左目に入射される。
これによれば、隣り合う第１透過部及び第２透過部により、同じ右目用画素及び左目用画素に由来する右目用画像及び左目用画像が、視点上の右目及び左目に入射されるので、表示画像における画素配列の整合性を維持できる他、表示画像が粗く見えることを確実に抑制できる。
【００１１】
本発明では、前記遮光部、前記第１透過部及び前記第２透過部が形成される基板を有し、前記第２透過部は、前記画像形成領域の法線及び前記行方向のそれぞれに沿う断面の形状が略Ｖ字状に形成され、前記法線及び前記行方向に対して交差する一対の傾斜面を有することが好ましい。
本発明によれば、第２透過部の断面形状が略Ｖ字状に形成されていることにより、第２透過部に入射された光（右目用画像を形成する光及び左目用画像を形成する光）を、当該第２透過部の表面にて確実に屈折させて、視点上の右目及び左目に入射させることができる。従って、表示画像が粗く見えることを確実に抑制できる。
【００１２】
或いは、本発明では、前記遮光部、前記第１透過部及び前記第２透過部が形成される基板を有し、前記第２透過部は、前記画像形成領域の法線及び前記行方向のそれぞれに沿う断面の形状が曲面状に形成されていることが好ましい。
本発明によれば、第２透過部がレンチキュラーレンズとして機能することとなるので、断面形状が略Ｖ字状に形成された第２透過部と同様に、第２透過部に入射された光を当該第２透過部の表面にて確実に屈折させて、視点上の右目及び左目に入射させることができる。従って、表示画像が粗く見えることを確実に抑制できる。
【００１３】
また、本発明の視差バリアの製造方法は、右目用画像を形成する右目用画素、及び、左目用画像を形成する左目用画素が少なくとも行方向に交互に配列された画像表示装置に用いられ、前記右目用画像及び前記左目用画像を分離する視差バリアの製造方法であって、基板に型を押圧して、当該基板に、前記画像表示装置に設定された視点における右目から前記右目用画素を直視可能で、前記視点における左目から前記左目用画素を直視可能な位置にそれぞれ凹状の第１透過部を複数形成し、それぞれの前記第１透過部の間に凹状で、かつ、Ｖ字状及び曲面状のいずれかの形状を有する第２透過部を形成する透過部形成ステップと、前記第１透過部及び前記第２透過部の周囲に遮光塗料を塗布して、入射される光を遮蔽する遮光部を形成する遮光部形成ステップと、を有することを特徴とする。
【００１４】
本発明によれば、それぞれ凹状の第１透過部及び第２透過部は、基板に型を押圧することで当該基板に形成され、これら第１透過部及び第２透過部を除いた領域、すなわち、これら第１透過部及び第２透過部より突出した領域に、遮光塗料が塗布されて遮光部が形成されることで、前述の視差バリアが製造される。これによれば、第１透過部、第２透過部及び遮光部を有する前述の視差バリアを簡易に製造できる。
【００１５】
本発明では、前記遮光部形成ステップでは、前記基板の表面に沿って前記遮光塗料が付着したローラーを移動させて、当該表面における突出部分に前記遮光塗料を塗布することが好ましい。
本発明によれば、ローラーと接触して遮光塗料が塗布される領域は、基板の表面において、それぞれ凹状の第１透過部及び第２透過部が形成された領域以外の領域となる。これによれば、適切な位置に遮光部を簡易に形成できる。従って、前述の視差バリアをより簡易に製造できる。
【００１６】
本発明では、前記遮光部形成ステップでは、前記第１透過部及び前記第２透過部が形成された前記基板の表面を下方に向けた状態で、当該表面に前記遮光塗料を付着させることで、前記遮光部を形成することが好ましい。
本発明によれば、下側から基板の表面に遮光塗料を付着させることで、それぞれ凹状の第１透過部及び第２透過部内に遮光塗料が侵入して、塗料溜まりが形成されることを防止できる。従って、適切な位置に遮光塗料を付着させることができ、ひいては、遮光部を適切な位置に形成できる。
【図面の簡単な説明】
【００１７】
【図１】本発明の第１実施形態に係る画像表示装置の構成を示す断面図。
【図２】前記実施形態における表示パネルのサブ画素配列を示す模式図。
【図３】前記実施形態における視差バリアの一部を示す正面図。
【図４】前記実施形態における視差バリアの製造工程を示す模式図。
【図５】前記実施形態における視差バリアの製造工程を示す模式図。
【図６】本発明の第２実施形態に係る画像表示装置を示す断面図。
【図７】本発明の第３実施形態に係る画像表示装置を示す断面図。
【図８】本発明の第４実施形態に係る画像表示装置を示す断面図。
【発明を実施するための形態】
【００１８】
〔第１実施形態〕
以下、本発明の第１実施形態について、図面に基づいて説明する。
図１は、本実施形態に係る画像表示装置１Ａを示す横断面（ＸＺ平面での断面図）である。なお、図１以降の図にて、後述する第１透過部５３を透過して、右目ＲＥ及び左目ＬＥに入射される光の光路については、理解しやすさを考慮して、当該第１透過部５３を透過する際の屈折を省略して記載するものとする。また、Ｘ方向は、各画像表示装置を構成する表示パネル４におけるサブ画素の配列方向のうちの行方向（左右方向）を示し、Ｙ方向は、当該配列方向のうちの列方向（上下方向）を示す。また、Ｚ方向は、後述する画像形成領域ＤＡの垂線に沿って当該画像形成領域ＤＡから離間する方向を示す。
本実施形態に係る画像表示装置１Ａは、図１及び図２に示すように、表示手段２及び視差バリア５Ａを備える。そして、当該画像表示装置１Ａは、表示手段２により、それぞれ視差画像である右目用画像及び左目用画像を表示し、視差バリア５Ａにより、当該画像表示装置１Ａに対して設定された視点ＶＰ上の観察者の右目ＲＥ及び左目ＬＥに右目用画像及び左目用画像をそれぞれ個別に入射させることで、視差による立体画像を観察者に視認させる。
【００１９】
〔表示手段の構成〕
表示手段２は、バックライト３及び表示パネル４を備える。
バックライト３は、表示パネル４に向けて光を出射する。このようなバックライト３は、冷陰極管及びリフレクターを備える構成や、ＬＥＤ（Light Emitting Diode）等の固体光源が複数配設された構成を採用できる。
【００２０】
表示パネル４は、図示を省略するが、透過型の液晶パネルと、当該液晶パネルを挟む一対の偏光板を備えて構成され、背面側に位置するバックライト３から入射される光を変調して、画像を形成及び表示する。この表示パネル４は、それぞれＲ（赤）、Ｇ（緑）及びＢ（青）のカラーフィルターが正面側に配設された３つのサブ画素により構成される画素が、Ｘ方向及びＹ方向に複数配列された略矩形状の画像形成領域ＤＡを有し、当該画像形成領域ＤＡにより１画面分の画像を表示する。
【００２１】
図２は、表示パネル４の画素配列を示す図である。なお、図２においては、見易さを考慮して、サブ画素の一部について符号を付す。
このような表示手段２により、視差画像である右目用画像及び左目用画像を表示する際には、図２に示すように、各サブ画素は、右目用画素を構成する右目用サブ画素Ｒ（赤、緑及び青のカラーフィルターが配設されたサブ画素をそれぞれＲＲ，ＲＧ，ＲＢとする）と、左目用画素を構成する左目用サブ画素Ｌ（赤、緑及び青のカラーフィルターが配設されたサブ画素をそれぞれＬＲ，ＬＧ，ＬＢとする）とに分けられる。
【００２２】
具体的に、画像形成領域ＤＡには、それぞれＹ方向に沿う赤用サブ画素の列、緑用のサブ画素の列及び青用のサブ画素の列が、赤、緑、青の順でＸ方向に配列されている。これら各列のサブ画素は、右目用画像を形成する右目用サブ画素Ｒと、左目用画像を形成する左目用サブ画素ＬとにＹ方向に交互に設定され、更に、各サブ画素は、Ｘ方向においても右目用サブ画素Ｒと左目用サブ画素Ｌとに交互に設定される。
このため、例えば、赤用サブ画素の列において、右目用サブ画素ＲＲのＹ方向側には、左目用サブ画素ＬＲが位置し、更にＹ方向側には右目用サブ画素ＲＲが位置する。緑用サブ画素の列、及び、青用サブ画素の列においても同様である。
一方、右目用サブ画素ＲＲのＸ方向側には、左目用サブ画素ＬＧが位置し、更にＸ方向側には、右目用サブ画素ＲＢが位置する。この右目用サブ画素ＲＢのＸ方向側には、左目用サブ画素ＬＲが位置し、更にＸ方向側には、右目用サブ画素ＲＧが位置する。
このように、画像形成領域ＤＡにおいては、右目用サブ画素Ｒと左目用サブ画素Ｌとが、Ｙ方向及びＸ方向のそれぞれで交互に配列される。
【００２３】
〔視差バリアの構成〕
図３は、視差バリア５Ａの一部を示す正面図である。なお、図３においては、見易さを考慮して、第１透過部５３及び第２透過部５４Ａの一部について符号を付す。
視差バリア５Ａは、前述のように、表示手段２により形成された右目用画像及び左目用画像を分離して、視点ＶＰ上の観察者の右目ＲＥに右目用画像を入射させ、左目ＬＥに左目用画像を入射させる。このような視差バリア５Ａは、図３に示すように、表示手段２の画像形成領域ＤＡを覆うように配置される樹脂製のバリア基板５１と、当該バリア基板５１に形成された遮光部５２、複数の第１透過部５３及び複数の第２透過部５４Ａとを有する。
【００２４】
遮光部５２は、バリア基板５１において表示手段２とは反対側の面に、黒色塗料が塗布されて形成される。換言すると、遮光部５２は、第１透過部５３及び第２透過部５４Ａが形成される面に、当該第１透過部５３及び第２透過部５４Ａの周囲に黒色塗料が塗布されて形成される。この遮光部５２は、表示手段２から入射された光を遮蔽することで、右目用画像が左目ＬＥに、左目用画像が右目ＲＥに入射されることを防止する。
【００２５】
第１透過部５３は、図１及び図３に示すように、視点ＶＰ上の右目ＲＥにより右目用サブ画素Ｒを直視可能な位置で、かつ、当該視点ＶＰ上の左目ＬＥにより左目用サブ画素Ｌを直視可能な位置に、バリア基板５１の表面より凹んだ正面視略矩形状の凹部として形成されている。これら第１透過部５３は、右目用サブ画素Ｒ及び左目用サブ画素Ｌに応じてそれぞれ形成されており、このため、当該第１透過部５３のＹ方向の寸法は、サブ画素Ｒ，ＬのＹ方向の寸法に応じて設定される。これら第１透過部５３は、右目用サブ画素Ｒにより形成され、かつ、右目用画像の一部を構成する光を透過して右目ＲＥに入射させ、左目用サブ画素Ｌにより形成され、かつ、左目用画像の一部を構成する光を透過して左目ＬＥに入射させる。
【００２６】
第２透過部５４Ａは、図３に示すように、Ｘ方向及びＹ方向に隣り合う一対の第１透過部５３の間に形成されている。この第２透過部５４ＡのＹ方向の寸法は、第１透過部５３の同方向の寸法と略同じであり、当該第２透過部５４ＡのＸ方向の寸法は、第１透過部５３の同方向の寸法の略１／３に設定されている。
この第２透過部５４Ａは、図１に示すように、ＸＺ平面の断面が、略Ｖ字状の凹部であるＶ字溝として形成されている。すなわち、第２透過部５４Ａにおける観察者側の面（表示手段２とは反対側の面）は、Ｘ方向及びＺ方向に対してそれぞれ傾斜し、互いに対向する一対の傾斜面５４ＡＬ，５４ＡＲ（第２透過部５４Ａを正面視した際の左側の傾斜面を５４ＡＬとし、右側の傾斜面を５４ＡＲとする）である。
【００２７】
このような第２透過部５４Ａは、Ｘ方向において当該第２透過部５４Ａを挟む一対の第１透過部５３のうち、一方の第１透過部５３を透過して右目ＲＥに入射される右目用画像を形成する右目用サブ画素Ｒから出射された光の一部を傾斜面５４ＡＬにより屈折させて右目に入射させ、他方の第１透過部５３を透過して左目ＬＥに入射される左目用画像を形成する左目用サブ画素Ｌから出射された光の一部を傾斜面５４ＡＲにより屈折させて左目に入射させる。このような第２透過部５４Ａにより屈折されて右目ＲＥ及び左目ＬＥに入射される光は、第２透過部５４Ａが形成されていなければ、遮光部５２により遮蔽されているはずの光である。
【００２８】
具体的に、図１において、第２透過部５４ＡのＸ方向側（右側）に位置する第１透過部５３（５３Ｒ）を介して左目ＬＥにより直視される左目用サブ画素Ｌから出射された光の一部は、当該第１透過部５３Ｒ及び第２透過部５４Ａに入射される。このうち、第１透過部５３Ｒに入射された光は、当該第１透過部５３Ｒを透過して左目ＬＥに入射される。一方、第２透過部５４Ａに入射された光は、図１において一点鎖線で示すように、傾斜面５４ＡＲにて屈折されて左目ＬＥに入射される。
【００２９】
また、図１において、第２透過部５４ＡのＸ方向とは反対側（左側）に位置する第１透過部５３（５３Ｌ）を介して右目ＲＥにより直視される右目用サブ画素Ｒから出射された光の一部は、当該第１透過部５３Ｌ及び第２透過部５４Ａに入射される。このうち、第１透過部５３Ｌに入射された光は、当該第１透過部５３Ｌを透過して右目ＲＥに入射される。一方、第２透過部５４Ａに入射された光は、図１において点線で示すように、傾斜面５４ＡＬにて屈折されて右目ＲＥに入射される。
【００３０】
このように、本来遮光部５２によって遮光される領域に、隣り合う第１透過部５３Ｌ，５３Ｒを透過する右目用画像及び左目用画像を、それぞれ右目ＲＥ及び左目ＬＥに入射させる第２透過部５４Ａが形成されていることで、視差バリア５Ａにおいて右目用画像及び左目用画像が視認される領域の面積が拡大される。これにより、表示画像が粗く見えることが抑制される他、視差バリア５Ａによる表示画像の輝度低下を抑制できる。
【００３１】
なお、第２透過部５４Ａには、当該第２透過部５４Ａ近傍の他の右目用サブ画素Ｒ及び左目用サブ画素Ｌから出射された光の一部も入射される。しかしながら、Ｚ方向及びＸ方向に対する傾斜面５４ＡＲ，５４ＡＬの角度は、これらの光が屈折されて右目ＲＥ及び左目ＬＥに入射されないように設定されている。このため、第２透過部５４Ａを介して、右目用画像の一部を構成する光が左目に入射し、左目用画像の一部を構成する光が右目に入射すること（すなわち、クロストークの発生）が抑制される。他の第２透過部５４Ａにおいても同様である。
【００３２】
〔視差バリアの製造方法〕
図４は、視差バリア５Ａの製造工程のうち、基板ＰＬに第１透過部５３及び第２透過部５４Ａを形成する透過部形成工程を示す模式図である。このうち、図４（Ａ）は、基板ＰＬにスタンパーを押圧する手順を示し、図４（Ｂ）は、当該基板ＰＬに第１透過部５３及び第２透過部５４Ａを形成する手順を示し、図４（Ｃ）は、基板ＰＬからスタンパーを離型する手順を示す図である。
前述の視差バリア５Ａは、以下の工程を経て製造される。
まず、図４（Ａ）に示すように、バリア基板５１となる基板ＰＬの一方の面に対して、製造される視差バリア５Ａの形状に応じた型であるスタンパーＳＴを押圧する。このスタンパーＳＴには、凹状の第１透過部５３及び第２透過部５４Ａに応じた突出部ＳＴ１，ＳＴ２が形成されている。このスタンパーＳＴの押圧により、図４（Ｂ）に示すように、当該基板ＰＬには、第１透過部５３及び第２透過部５４Ａが形成される。この後、図４（Ｃ）に示すように、当該基板ＰＬからスタンパーＳＴを離型する。
【００３３】
図５は、視差バリア５Ａの製造工程のうち、基板ＰＬに遮光部５２を形成する遮光部形成工程を示す図である。
次に、図５に示すように、基板ＰＬにおける第１透過部５３及び第２透過部５４Ａが形成された面ＰＬ１に、遮光塗料（例えば、黒色塗料）が外周面に付着したローラーＲＬにより、当該遮光塗料を転着させる。これにより、面ＰＬ１において突出した部位、すなわち、第１透過部５３及び第２透過部５４Ａの形成領域以外の領域に遮光塗料が付着されるので、当該第１透過部５３及び第２透過部５４Ａの周囲に遮光部５２が形成される。
なお、遮光部５２を形成する際には、面ＰＬ１を下方に向けた状態で基板ＰＬを設置し、当該ローラーＲＬを下方から面ＰＬ１に接触させた上で、当該ローラーＲＬをＹ方向に沿って進退させることで、遮光塗料を転着させる。これにより、凹状の第１透過部５３及び第２透過部５４Ａ内に遮光塗料が流入しづらくなるため、当該第１透過部５３及び第２透過部５４Ａ内に遮光塗料の粒子溜まりが形成されることを抑制でき、ひいては、遮光部５２を適切な位置に形成できる。
【００３４】
このような遮光部５２を形成する手法としては、前述のローラーＲＬを用いる方法に限らず、第１透過部５３及び第２透過部５４Ａの周囲に遮光塗料を付着させることができれば、スプレー等により当該遮光塗料を面ＰＬ１に付着させてもよい。また、ローラーＲＬの外周面と面ＰＬ１とは必ずしも接触させる必要はなく、ローラーＲＬに付着された遮光塗料を面ＰＬ１に転着させることができれば、ローラーＲＬと面ＰＬ１とを離間配置させてもよい。この場合、遮光塗料として帯電性を有する粒子に色粒子が付着したトナーを用い、帯電されたローラーＲＬの外周面にレーザー光を照射することで遮光塗料を遊離させ、ローラーＲＬの外周面から面ＰＬ１に当該遮光塗料を転着させる構成としてもよい。
【００３５】
以上説明した本実施形態に係る画像表示装置１Ａによれば、以下の効果がある。
すなわち、視点ＶＰ上の右目ＲＥには、第１透過部５３を介して、右目用サブ画素Ｒにより形成された右目用画像が直接入射される他、第２透過部５４Ａを介して、右目用サブ画素Ｒにより形成された右目用画像が屈折されて入射される。また、視点ＶＰ上の左目ＬＥには、第１透過部５３を介して、左目用サブ画素Ｌにより形成された左目用画像が直接入射される他、第２透過部５４Ａを介して、左目用サブ画素Ｌにより形成された左目用画像が屈折されて入射される。
【００３６】
これによれば、第２透過部５４Ａが設けられていない視差バリアに比べて、遮光部５２により遮光される視差バリアの表面において右目用画像を視認可能な領域の数、及び、左目用画像を視認可能な領域の数を増加させることができ、遮光部５２による遮光領域の面積を縮小できる。従って、遮光部５２を目立たなくして、画素粒度が粗く見えることを抑制でき、ひいては、表示画像が粗く見えることを抑制できる。更に、遮光領域の面積を縮小できることにより、視差バリア５Ａによる遮光量が低減されるので、当該視差バリア５Ａによる表示画像の輝度低下を抑制できる。
【００３７】
第２透過部５４Ａにより屈折されて右目ＲＥに入射される右目用画像の光は、当該第２透過部５４Ａを挟む一対の第１透過部５３のうちの一方の第１透過部５３Ｌを透過する右目用画像の光と同じであり、また、当該第２透過部５４Ａにより屈折されて左目ＬＥに入射される左目用画像の光は、他方の第１透過部５３Ｒを透過する左目用画像の光と同じである。このため、第１透過部５３Ｌと第２透過部５４Ａとにより、同じ右目用サブ画素Ｒから出射された右目用画像が右目ＲＥに入射され、第１透過部５３Ｒと第２透過部５４Ａとにより、同じ左目用サブ画素Ｌから出射された左目用画像が左目ＬＥに入射される。
これによれば、互いに隣り合う第１透過部５３及び第２透過部５４Ａにより、同じ右目用サブ画素Ｒ及び左目用サブ画素Ｌに由来する右目用画像及び左目用画像の光が、視点ＶＰ上の右目ＲＥ及び左目ＬＥに入射されるので、表示画像における画素配列の整合性を維持できる他、表示画像が粗く見えることを確実に抑制できる。
【００３８】
第２透過部５４Ａの断面形状が略Ｖ字状に形成されていることにより、第２透過部５４Ａに入射され、かつ、右目用画像及び左目用画像を形成する光を、当該第２透過部の傾斜面５４ＡＬ，５４ＡＲにて確実に屈折させて、視点ＶＰ上の右目ＲＥ及び左目ＬＥに入射させることができる。従って、表示画像が粗く見えることを確実に抑制できる。
【００３９】
また、上記視差バリアの製造方法によれば、それぞれ凹状の第１透過部５３及び第２透過部５４Ａは、スタンパーＳＴを押圧することで基板ＰＬに形成され、これら第１透過部５３及び第２透過部５４Ａを除いた領域（すなわち、第１透過部５３及び第２透過部５４ＡよりＺ方向に突出した領域）に、遮光塗料が塗布されて遮光部５２が形成される。
このような製造方法によれば、前述の視差バリア５Ａを簡易に製造できる。
【００４０】
また、ローラーＲＬと接触して遮光塗料が塗布される領域は、基板ＰＬの面ＰＬ１において、それぞれ凹状の第１透過部５３及び第２透過部５４Ａが形成された領域以外の領域となる。これによれば、適切な位置に遮光部５２を簡易に形成できる。従って、前述の視差バリア５Ａをより簡易に製造できる。
更に、下方から面ＰＬ１に遮光塗料を付着させることで、それぞれ凹状の第１透過部５３及び第２透過部５４Ａ内に遮光塗料が侵入して、粒子溜まりが形成されることを防止できる。従って、適切な位置に遮光塗料を付着させることができ、ひいては、遮光部５２を適切な位置に形成できる。
【００４１】
〔第２実施形態〕
以下、本発明の第２実施形態について説明する。
本実施形態に係る画像表示装置は、第２透過部のＸＺ平面での断面が凹曲面状である点で、前述の画像表示装置１Ａと相違する。なお、以下の説明では、既に説明した部分と同一または略同一である部分については、同一の符号を付して説明を省略する。
【００４２】
図６は、本実施形態に係る画像表示装置１Ｂの構成を示すＸＺ平面での断面図である。
本実施形態に係る画像表示装置１Ｂは、図６に示すように、視差バリア５Ａに代えて視差バリア５Ｂを有する他は、前述の画像表示装置１Ａと同様の構成及び機能を有する。また、視差バリア５Ｂは、第２透過部５４Ａに変えて第２透過部５４Ｂを有する他は、視差バリア５Ａと同様の構成及び機能を有する。
第２透過部５４Ｂは、視差バリア５Ａにおける第２透過部５４Ａと同じ位置に形成されており、Ｘ方向の寸法及びＹ方向の寸法も、当該第２透過部５４Ａと同じである。
この第２透過部５４ＢのＸＺ平面での断面形状は、凹曲面状に形成されており、当該第２透過部５４Ｂは、レンチキュラーレンズとして機能する。
【００４３】
このため、図６において、第２透過部５４ＢのＸ方向側（右側）に位置する第１透過部５３Ｒを介して左目ＬＥにより直視される左目用サブ画素Ｌから出射された光の一部は、当該第１透過部５３Ｒ及び第２透過部５４Ｂに入射される。このうち、第１透過部５３Ｒに入射された光は、当該第１透過部５３Ｒを透過して左目ＬＥに入射される。一方、第２透過部５４Ｂに入射された光は、図６において一点鎖線で示すように、当該第２透過部５４Ｂの表面にて屈折されて左目ＬＥに入射される。
【００４４】
また、図６において、第２透過部５４ＢのＸ方向とは反対側（左側）に位置する第１透過部５３Ｌを介して右目ＲＥにより直視される右目用サブ画素Ｒから出射された光の一部は、当該第１透過部５３Ｌ及び第２透過部５４Ｂに入射される。このうち、第１透過部５３Ｌに入射された光は、当該第１透過部５３Ｌを透過して右目ＲＥに入射される。一方、第２透過部５４Ｂに入射された光は、図６において点線で示すように、当該第２透過部５４Ｂの表面にて屈折されて右目ＲＥに入射される。
【００４５】
なお、前述の第２透過部５４Ａと同様に、第２透過部５４Ｂには、当該第２透過部５４Ｂ近傍に位置する他の右目用サブ画素Ｒ及び左目用サブ画素Ｌから出射された光の一部も入射される。これに対し、これらの光が視点ＶＰ上の右目ＲＥ及び左目ＬＥに向かう方向とは異なる方向に屈折されて出射されるように、第２透過部５４Ａの表面の曲率は設定されている。このため、クロストークの発生が抑制される。
このような視差バリア５Ｂは、前述の視差バリア５Ａと同様の製造方法により製造される。
【００４６】
このような本実施形態に係る画像表示装置１Ｂによれば、前述の画像表示装置１Ａと同様の効果を奏することができる他、以下の効果を奏することができる。
すなわち、第２透過部５４Ｂがレンチキュラーレンズとして機能するので、前述の第２透過部５４Ａと同様に、第２透過部５４Ｂに入射された光を確実に屈折させて、視点ＶＰ上の右目ＲＥ及び左目ＬＥに入射させることができる。従って、表示画像が粗く見えることを確実に抑制できる。
【００４７】
〔第３実施形態〕
以下、本発明の第３実施形態について説明する。
本実施形態に係る画像表示装置は、ＸＺ平面での断面がＶ字状となる突出部として第２透過部が形成されている点で、前述の画像表示装置１Ａ，１Ｂと相違する。
【００４８】
図７は、本実施形態に係る画像表示装置１Ｃの構成を示すＸＺ平面での断面図である。
本実施形態に係る画像表示装置１Ｃは、図７に示すように、視差バリア５Ａに代えて視差バリア５Ｃを有する他は、前述の画像表示装置１Ａと同様の構成及び機能を有する。また、視差バリア５Ｃは、第２透過部５４Ａに変えて第２透過部５４Ｃを有する他は、視差バリア５Ａと同様の構成及び機能を有する。
第２透過部５４Ｃは、視差バリア５Ａにおける第２透過部５４Ａと同じ位置に形成されており、Ｘ方向の寸法及びＹ方向の寸法も、当該第２透過部５４Ａと同じである。
この第２透過部５４Ｃは、バリア基板５１の表面から突出するように形成され、当該第２透過部５４ＣのＸＺ平面での断面形状はＶ字状となっている。このため、第２透過部５４Ｃは、Ｘ方向及びＺ方向に対してそれぞれ傾斜し、視差バリア５Ｃを正面視した場合の左側に位置する傾斜面５４ＣＬと、右側に位置する傾斜面５４ＣＲとを有する。
【００４９】
このような視差バリア５Ｃにおいては、図７における第２透過部５４ＣのＸ方向側（右側）に位置する第１透過部５３Ｒを介して左目ＬＥにより直視される左目用サブ画素Ｌから出射された光の一部は、当該第１透過部５３Ｒ及び当該第２透過部５４Ｃにそれぞれ入射される。このうち、第１透過部５３Ｒに入射された光は、前述のように、当該第１透過部５３Ｒを透過して左目ＬＥに入射される。一方、第２透過部５４Ｃに入射された光は、図７における一点鎖線で示すように、傾斜面５４ＣＬにて屈折されて、左目ＬＥに入射される。
【００５０】
また、図７における第２透過部５４ＣのＸ方向とは反対側（左側）に位置する第１透過部５３Ｌを介して右目ＲＥにより直視される右目用サブ画素Ｒから出射された光の一部は、当該第１透過部５３Ｌ及び当該第２透過部５４Ｃにそれぞれ入射される。このうち、第１透過部５３Ｌに入射された光は、前述のように、当該第１透過部５３Ｌを透過して右目ＲＥに入射される。一方、第２透過部５４Ｃに入射された光は、図７における点線で示すように、傾斜面５４ＣＲにて屈折されて、右目ＲＥに入射される。
【００５１】
このような傾斜面５４ＣＬ，５４ＣＲのＸ方向及びＺ方向に対する角は、第２透過部５４Ｃ近傍に位置する他の右目用サブ画素Ｒ及び他の左目用サブ画素Ｌから入射される光を右目ＲＥ及び左目ＬＥに向かう方向とは異なる方向に屈折させて出射する角度に設定されている。このため、クロストークの発生が抑制される。
このような視差バリア５Ｃを有する画像表示装置１Ｃによれば、前述の画像表示装置１Ａと同様の効果を奏することができる。
【００５２】
〔第４実施形態〕
次に、本発明の第４実施形態について説明する。
本実施形態に係る画像表示装置は、ＸＺ平面での断面が曲面状となる突出部として第２透過部が形成されている点で、前述の画像表示装置１Ａと相違する。
【００５３】
図８は、本実施形態に係る画像表示装置１Ｄの構成を示すＸＺ平面での断面図である。
本実施形態に係る画像表示装置１Ｄは、図８に示すように、視差バリア５Ａに代えて視差バリア５Ｄを有する他は、前述の画像表示装置１Ａと同様の構成及び機能を有する。また、視差バリア５Ｄは、第２透過部５４Ａに変えて第２透過部５４Ｄを有する他は、視差バリア５Ａと同様の構成及び機能を有する。
第２透過部５４Ｄは、視差バリア５Ａにおける第２透過部５４Ａと同じ位置に形成されており、Ｘ方向の寸法及びＹ方向の寸法も、当該第２透過部５４Ａと同じである。この第２透過部５４Ｄは、バリア基板５１の表面から曲面状に突出するように形成され、当該第２透過部５４ＣのＸＺ平面での断面形状は円弧状となっている。このため、第２透過部５４Ｄは、レンチキュラーレンズとしての機能を有する。
【００５４】
このような視差バリア５Ｄにおいては、図８における第２透過部５４ＤのＸ方向側（右側）に位置する第１透過部５３Ｒを介して左目ＬＥにより直視される左目用サブ画素Ｌから出射された光の一部は、当該第１透過部５３Ｒ及び当該第２透過部５４Ｄにそれぞれ入射される。このうち、第１透過部５３Ｒに入射された光は、前述のように、当該第１透過部５３Ｒを透過して左目ＬＥに入射される。一方、第２透過部５４Ｄに入射された光は、図８における一点鎖線で示すように、当該第２透過部５４Ｄの表面で屈折されて、左目ＬＥに入射される。
【００５５】
また、図８における第２透過部５４ＤのＸ方向とは反対側（左側）に位置する第１透過部５３Ｌを介して右目ＲＥにより直視される右目用サブ画素Ｒから出射された光の一部は、当該第１透過部５３Ｌ及び当該第２透過部５４Ｄにそれぞれ入射される。このうち、第１透過部５３Ｌに入射された光は、前述のように、当該第１透過部５３Ｌを透過して右目ＲＥに入射される。一方、第２透過部５４Ｄに入射された光は、図８における点線で示すように、当該第２透過部５４Ｄの表面で屈折されて、右目ＲＥに入射される。
【００５６】
なお、前述の第２透過部５４Ｂと同様に、第２透過部５４Ｄの表面の曲率は、当該第２透過部５４Ｄ近傍に位置する他の右目用サブ画素Ｒ及び他の左目用サブ画素Ｌから入射される光が、当該表面にて屈折されて右目ＲＥ及び左目ＬＥに向かう方向とは異なる方向に出射されるように設定されている。このため、クロストークの発生が抑制される。
このような視差バリア５Ｄを有する画像表示装置１Ｄによれば、前述の画像表示装置１Ｂと同様の効果を奏することができる。
【００５７】
〔実施形態の変形〕
本発明は前述の実施形態に限定されるものではなく、本発明の目的を達成できる範囲での変形、改良等は本発明に含まれるものである。
前記各実施形態では、表示手段２は、右目用サブ画素Ｒと左目用サブ画素ＬとがＸ方向（行方向）及びＹ方向（列方向）にそれぞれ交互に配列される構成としたが、本発明はこれに限らない。例えば、行方向にのみ右目用サブ画素Ｒと左目用サブ画素Ｌとが交互に配列される構成としてもよい。この場合、第１透過部及び第２透過部がそれぞれＹ方向に延出するように形成すればよい。
【００５８】
前記各実施形態では、第２透過部５４Ａ〜５４ＤのＸＺ平面での断面形状をＶ字状又は曲面状に形成することで、当該第２透過部５４Ａ〜５４Ｄに入射される光を屈折させて、右目用画像を構成する光を視点ＶＰ上の右目ＲＥに入射させ、左目用画像を構成する光を左目ＬＥに入射させるとしたが、本発明はこれに限らない。すなわち、バリア基板とは異なる屈折率を有する材料により第２透過部を形成し、これにより、当該第２透過部に入射される光を屈折させることで、右目用画像及び左目用画像を構成する光を、それぞれ視点ＶＰ上の右目ＲＥ及び左目ＬＥに入射させる構成としてもよい。
【００５９】
前記第１及び第３実施形態では、第２透過部５４Ａ，５４ＣはＸＺ平面での断面がＶ字状に形成され、当該第２開口部５４Ａ，５４Ｃは、それぞれ平面である傾斜面５４ＡＬ，５４ＡＲ，５４ＣＬ，５４ＣＲを有するとした。しかしながら、本発明はこれに限らない。すなわち、第２透過部は、厳密なＶ字状でなくてもよく、交差する面が曲面状に形成されたＶ字状であってもよい。
【００６０】
前記各実施形態では、第２透過部５４Ａ〜５４ＤのＸ方向における寸法は、第１透過部５３のＸ方向における寸法の略１／３程度としたが、本発明はこれに限らない。すなわち、クロストークの発生が十分に抑制されるのであれば、当該第２透過部のＸ方向の寸法は、適宜設定してよい。
【００６１】
前記各実施形態では、画像表示装置１Ａ〜１Ｄは、Ｒ、Ｇ、Ｂのカラーフィルターが配設されたサブ画素（右目用サブ画素Ｒ及び左目用サブ画素Ｌ）により、フルカラー表示可能な表示手段２を備えるとしたが、本発明はこれに限らない。すなわち、単色の画像を表示する画像表示装置であってもよい。この場合、それぞれのサブ画素が、表示画像を形成する１画素となる。
【００６２】
前記各実施形態では、第２透過部５４Ａ〜５４Ｄは、バリア基板５１の表面における複数の第１透過部５３の間の略全てにそれぞれ形成されるとしたが、本発明はこれに限らない。すなわち、第２透過部の数は適宜変更してよく、また、当該第２透過部の形成位置も適宜変更してよい。
【００６３】
前記第１及び第２実施形態では、視差バリア５Ａ，５Ｂは、スタンパーＳＴを用いた前述の方法により形成されるとしたが、本発明はこれに限らない。すなわち、当該視差バリア５Ａ，５Ｂを製造可能であれば、他の製造方法により製造されてもよい。また、視差バリアの材料も、製造方法に応じて適宜変更可能である。
【００６４】
前記各実施形態では、表示手段２は、バックライト３と、液晶パネル及び偏光板を有する表示パネルとを備える構成としたが、本発明はこれに限らない。すなわち、これらに代えて、有機ＥＬ（Electroluminescence）ディスプレイ、プラズマディスプレイ及びＣＲＴ（Cathode Ray Tube）ディスプレイ等の各種表示装置を採用してもよい。
【産業上の利用可能性】
【００６５】
本発明は、視差により立体視可能な画像を表示する画像表示装置に採用される視差バリア、及び、当該視差バリアの製造方法に好適に利用できる。
【符号の説明】
【００６６】
１Ａ〜１Ｄ…画像表示装置、５Ａ〜５Ｄ…視差バリア、５１…バリア基板（基板）、５２…遮光部、５３…第１透過部、５４Ａ〜５４Ｄ…第２透過部、５４ＡＬ，５４ＡＲ，５４ＣＬ，５４ＣＲ…傾斜面、Ｌ…左目用サブ画素（左目用画素）、Ｒ…右目用サブ画素（右目用画素）、ＤＡ…画像形成領域、ＬＥ…左目、ＲＥ…右目、ＲＬ…ローラー、ＶＰ…視点。
【図１】
2012252051.tif 000003
【図２】
2012252051.tif 000004
【図３】
2012252051.tif 000005
【図４】
2012252051.tif 000006
【図５】
2012252051.tif 000007
【図６】
2012252051.tif 000008
【図７】
2012252051.tif 000009
【図８】
2012252051.tif 000010